(57)【要約】【課題】着脱自在な吸気口カバーを、本体を設置したままの状態で、容易に着脱できるように着脱性を向上させること。【解決手段】外郭ケース４底面に設けられ冷却ファン７により外気を本体１内に取り込むための吸気口８と、吸気口８を下から覆うように装着される吸気口カバー１０とを備え、吸気口カバー１０に設けた係止部Ｂ１８は、吸気口カバーの収納が完了すると、外郭ケース４底面に設けた係止部Ａ１７と嵌合し、吸気口カバー１０を係止させる構成とし、係止部Ｂ１８を第２摺動部１４またはその近傍に設けたことにより、吸気口カバー１０を着脱する際には、力が係止部Ｂ１８に無理なくかかるため、吸気口カバーが傾動してこじるのを抑制でき、快適に着脱することができる。【選択図】図１
2011192576.tif 000002
【特許請求の範囲】
【請求項１】
外郭ケースと、前記外郭ケース上面を構成し鍋を載置する天板と、前記天板下方に配置され前記鍋を誘導加熱する加熱コイルと、前記外郭内部に設けられ前記加熱コイルに高周波電力を供給する制御基板ユニットと、前記加熱コイルおよび前記制御基板ユニットに冷却風を送風する冷却ファンと、前記外郭ケース底面に設けられ前記冷却ファンにより外気を前記外郭ケース内に取り込むための吸気口と、前記冷却ファンにより送風した空気を前外郭ケース内から排出する排気口と、前記外郭ケース底面に設けたカバーを支持する第１被摺動部上を摺動する第１摺動部と前記吸気口を下から覆い複数の穴を設けたフィルター部と前記外郭ケース底面に設けた係止部Ａと嵌合する係止部Ｂとを有する吸気口カバーとを備え、前記吸気口カバーはスライドするための指掛け部近傍に前記外郭ケース底面に設けた第２被摺動部と摺動する第２摺動部を有し、前記係止部Ａおよび前記係止部Ｂは前記吸気口カバーの収納が完了すると互いに嵌合して前記吸気口カバーが前記外郭ケース底面に係止される前記係止部Ｂを前記第２摺動部またはその近傍に設けた誘導加熱調理器。
【請求項２】
前記吸気口カバーの指掛け部またはその近傍に嵌合部Ｂを設け、前記係止部Ａおよび前記係止部Ｂが互いに嵌合するより先に、前記外郭ケース底面に設けた嵌合部Ａに嵌合する構成とした請求項１に記載の誘導加熱調理器。
【請求項３】
前記吸気口カバーの指掛け部前面を前記吸気口カバーの前面より突出させた請求項１または２に記載の誘導加熱調理器。
【請求項４】
前記吸気口カバーは前方に傾斜面を有し、前記傾斜面に前記外郭ケース正面から見えないように略垂直方向に穴を複数個設けた請求項１〜３のいずれか１項に記載の誘導加熱調理器。
【請求項５】
前記第１摺動部の高さを、前記吸気口カバーを外郭ケースへの収納状態で本体設置面に置いた時、前記第１被摺動部と同一高さになるように設けた請求項１〜４のいずれか１項に記載の誘導加熱調理器。
【請求項６】
前記外郭ケース前面かつ吸気口カバー収納部上方に傾斜面を設けた請求項１〜５のいずれか１項に記載の誘導加熱調理器。
【発明の詳細な説明】
【技術分野】
【０００１】
本発明は、据え置き型の誘導加熱調理器に関するものである。
【背景技術】
【０００２】
従来、この種の誘導加熱調理器は、吸気口の外側にＬ字状の引っかけ部を設け、引っかけ部には保持用のバネを設け、この支持部に防塵フィルタを固定している（例えば、特許文献１参照）。
【０００３】
図５は、特許文献１に記載された従来の誘導加熱調理器を示すものである。図５に示すように、本体下面の吸気口３０の外側に、防塵フィルタ３４を着脱自在に取り付けたものである。吸気口３０の周囲に設けたＬ字状の引っかけ部３１、３２にはめ込む形で取り付けている。
【０００４】
引っかけ部３２には、引っかけ部３１方向に作用する保持用のバネ３３を設け、バネ３３の押圧力を利用して防塵フィルタ３４を固定する。このようにして本体底面の吸気口に着脱自在の防塵フィルタを固定する構成としている。
【先行技術文献】
【特許文献】
【０００５】
【特許文献１】特開平８−３１５９７４号公報
【発明の概要】
【発明が解決しようとする課題】
【０００６】
しかしながら、前記従来の構成では、防塵フィルタの着脱時に、着脱するためのスペースが本体下面に必要となる、あるいは、本体を傾けるなどの作業が必要となり、着脱性への配慮がなかったため、着脱時の使い勝手が不充分であるという課題を有していた。
【０００７】
本発明は、前記従来の課題を解決するもので、防塵フィルタの着脱性を向上させた誘導加熱調理器を提供することを目的とする。
【課題を解決するための手段】
【０００８】
前記従来の課題を解決するために、本発明の誘導加熱調理器は、外郭ケース底面に設けられ冷却ファンにより外気を外郭ケース内に取り込むための吸気口と、外郭ケース底面に設けたカバーを支持する第１被摺動部上を摺動する第１摺動部と吸気口を下から覆い複数の穴を設けたフィルター部と外郭ケース底面に設けた係止部Ａと嵌合する係止部Ｂとを有する吸気口カバーとを備え、吸気口カバーはスライドするための指掛け部近傍に外郭ケース底面に設けた第２被摺動部と摺動する第２摺動部を有し、係止部Ａおよび係止部Ｂは吸気口カバーの収納が完了すると互いに嵌合して吸気口カバーが外郭ケース底面に係止される係止部Ｂを第２摺動部またはその近傍に設けた構成としたものである。
【０００９】
これによって、吸気口カバーは、本体を設置したままの状態で外郭ケースから自在に着脱することができ、更に着脱する際には力が係止部に無理なくかかるため、吸気口カバーが傾動してこじるのを抑制でき、着脱性を向上させることができる。
【発明の効果】
【００１０】
本発明の誘導加熱調理器は、吸気口カバーの着脱性を向上させ着脱時の使い勝手を向上することができる。
【図面の簡単な説明】
【００１１】
【図１】本発明の実施の形態１における誘導加熱調理器の分解斜視図
【図２】本発明の実施の形態１における誘導加熱調理器の吸気口カバー部の断面図
【図３】本発明の実施の形態１における誘導加熱調理器の吸気口カバーの傾斜面に設けた穴の断面図
【図４】本発明の実施の形態２における誘導加熱調理器の吸気口カバーの断面図
【図５】従来の誘導加熱調理器の断面図
【発明を実施するための形態】
【００１２】
第１の発明は、外郭ケースと、外郭ケース上面を構成し鍋を載置する天板と、天板下方に配置され鍋を誘導加熱する加熱コイルと、外郭内部に設けられ加熱コイルに高周波電力を供給する制御基板ユニットと、加熱コイルおよび制御基板ユニットに冷却風を送風する冷却ファンと、外郭ケース底面に設けられ冷却ファンにより外気を外郭ケース内に取り込むための吸気口と、冷却ファンにより送風した空気を前外郭ケース内から排出する排気口と、外郭ケース底面に設けたカバーを支持する第１被摺動部上を摺動する第１摺動部と吸気口を下から覆い複数の穴を設けたフィルター部と外郭ケース底面に設けた係止部Ａと嵌合する係止部Ｂとを有する吸気口カバーとを備え、吸気口カバーはスライドするための指掛け部近傍に外郭ケース底面に設けた第２被摺動部と摺動する第２摺動部を有し、係止部Ａおよび係止部Ｂは吸気口カバーの収納が完了すると互いに嵌合して吸気口カバーが外郭ケース底面に係止される係止部Ｂを第２摺動部またはその近傍に設けたことにより、本体を設置したままの状態で外郭ケースから自在に着脱することができ、更に着脱する際には力が係止部に無理なくかかるため、吸気口カバーが傾動してこじるのを抑制でき、着脱性を向上させることができる。
【００１３】
また、着脱性が向上したことにより、吸気口カバーに塵や埃が付着した場合には容易に清掃することができる。
【００１４】
第２の発明は、特に、第１の発明の吸気口カバーの指掛け部またはその近傍に、嵌合部Ｂを設け、係止部Ａおよび係止部Ｂが互いに嵌合するより先に、外郭ケース底面に設けた嵌合部Ａに嵌合するような構成としたことにより、各部品の変形や組み立てバラツキによる係止部Ａおよび係止部Ｂの嵌合代のバラツキを、嵌合部Ａおよび嵌合部Ｂが嵌合することで狙いの寸法関係に補正することができる。
【００１５】
これによって、係止部Ａおよび係止部Ｂが確実に嵌合せず吸気口カバーが係止できなくなるのを防ぐことができる。
【００１６】
第３の発明は、特に、第１または第２の発明の吸気口カバーの指掛け部前面を、吸気口カバーの前面より突出させたことにより、本体前面のあらゆる角度から指掛け部の位置が容易に確認でき、吸気口カバーを外す際に、腰を屈めたり、手探りで指掛け部を探したりする手間を省くことができる。
【００１７】
第４の発明は、特に、第１〜３の発明のいずれか１つの発明の吸気口カバーは前方に傾斜面を有し、傾斜面に外郭ケース正面から見えないように略垂直方向に穴を複数個設けたことにより、概観品位を損なうことなく、吸気口面積を拡大することができ、本体内の冷却性能を向上させることができる。
【００１８】
第５の発明は、特に、第１〜４の発明のいずれか１つの発明の第１摺動部の高さを、吸気口カバーを外郭ケースへの収納状態で本体設置面に置いた時、第１被摺動部と同一高さになるように設けたことにより、吸気口カバーを外郭ケースへ装着する際に、吸気口カバーを掴持する必要がなく、本体設置面に置いて押し込む動作のみで装着することができる。
【００１９】
第６の発明は、特に、第１〜５の発明のいずれか１つの発明の外郭ケース前面かつ吸気口カバー収納部上方に傾斜面を設けたことにより、吸気口カバーを外郭ケースへ装着する際に、収納位置より上方に吸気口カバーを挿入しようとした場合においても、吸気口カバーが傾斜面に沿って収納部へ誘導され、容易に装着することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の分解斜視図、図２は本発明の第１の実施の形態における誘導加熱調理器の吸気口カバー部の断面図、図３は本発明の第１の実施の形態における誘導加熱調理器の吸気口カバーの傾斜面に設けた穴の断面図を示すものである。
【００２２】
図１および図２において、本体１はキッチン等の置き台に載置して使用する据え置き型のもので、外郭ケース４と、外郭ケース４上面を構成し鍋を載置する天板２とに覆われている。
【００２３】
本体１内部には、天板２の下方で誘導加熱手段を構成する加熱コイル３と、加熱コイル３に高周波電力を供給する制御基板ユニット５と、制御基板ユニット５の前方に配し加熱コイル３および制御基板ユニット５に冷却風を送風する冷却ファン７と、正面部に扉を備えたグリル部６とを備えている。
【００２４】
また、外郭ケース４底面に設けられ冷却ファン７により外気を本体１内に取り込むための吸気口８と、冷却ファン７により送風した空気を本体１内から排出する排気口９とを設け、吸気口８を下から覆うように吸気口カバー１０が装着される。
【００２５】
吸気口カバー１０は、本体１内に侵入する塵や埃を抑制するために、吸気口８を下から覆い複数の穴１５を設けたフィルター部１６を有し、フィルター部１６の左右には第１摺動部１３を設けている。
【００２６】
また、前方略中央部にはスライドするための指掛け部２１を設け、指掛け部２１近傍には第２摺動部１４を設けている。
【００２７】
外郭ケース４底面には、第１被摺動部１１と第２被摺動部１２とを設け、吸気口カバー１０は、指掛け部２１を持って、第１摺動部１３と第１被摺動部１１、第２摺動部１４と第２被摺動部１２とを互いに摺動させながらスライドさせ、自在に着脱できる構成としている。このとき、第１被摺動部１１は略Ｌ字状であり、吸気口カバー１０を支持する役割を果たしている。
【００２８】
吸気口カバー１０に設けた係止部Ｂ１８は、吸気口カバーの収納が完了すると、外郭ケース４底面に設けた係止部Ａ１７と嵌合し、吸気口カバー１０を係止させる構成としており、係止部Ｂ１８を第２摺動部１４またはその近傍に設けていることを特長としている。
【００２９】
これにより、吸気口カバー１０を着脱する際には、力が係止部Ｂ１８に無理なくかかるため、吸気口カバーが傾動してこじるのを抑制でき、快適に着脱できる。
【００３０】
また、吸気口カバー１０の指掛け部２１またはその近傍に嵌合部Ｂ２０を設け、係止部Ａ１７および係止部Ｂ１８が互いに嵌合するより先に、外郭ケース４底面に設けた嵌合部Ａ１９に嵌合する構成としたことにより、各部品の変形や組み立てバラツキによる係止部Ａ１７および係止部Ｂ１８の嵌合代のバラツキを、嵌合部Ａ１９および嵌合部Ｂ２０が互いに嵌合することで狙いの寸法関係に補正することができ、係止部Ａ１７および係止部Ｂ１８が嵌合せず吸気口カバー１０が係止できなくなるのを防ぐことができる。
【００３１】
また、吸気口カバー１０の指掛け部前面２２を吸気口カバー前面２３より突出させたことにより、本体１前面のあらゆる角度から指掛け部２１の位置が容易に確認でき、吸気口カバー１０を外す際に、腰を屈めたり、手探りで指掛け部２１を探したりする手間を省くことができる。
【００３２】
また、吸気口カバー前面２３を傾斜、またはリブなどを設け、端面を傾斜させるなどして傾斜させた吸気口カバー前面２３に本体１正面から見えないように略垂直方向に穴２５を複数個設けたことにより、概観品位を損なうことなく、吸気口面積を拡大することができる。これにより、本体内の冷却性能を向上させることができる。
【００３３】
また、吸気口カバー１０の底面にリブまたはボスなどの突起２６を設け、吸気口カバー１０を外郭ケース４への収納状態で本体１設置面に置いた時、第１摺動部１３の高さが第１被摺動部１１と同一高さになるようにしたことにより、吸気口カバー１０を外郭ケース４へ装着する際に、吸気口カバー１０を掴持する必要がなく、本体１設置面２７に置いて押し込む動作のみで装着することができる。
【００３４】
また、外郭ケース４前面かつ吸気口カバー１０収納部上方に傾斜面２４を設けたことにより、吸気口カバー１０を外郭ケース４へ装着する際に、収納位置より上方に吸気口カバーを挿入しようとした場合においても、吸気口カバー１０が傾斜面２４に沿って収納位置へ誘導され、容易に装着することができる（図２矢印）。
【００３５】
（実施の形態２）
図４は、本発明の第２の実施の形態における誘導加熱調理器の吸気口カバーの断面図を示すものである。なお、本実施の形態の基本構成は実施の形態１と同じなので、異なる点を中心に説明する。また、実施の形態１と同じ要素には同じ符号を付し、その説明は省略する。
【００３６】
前記実施の形態１と異なるのは、図５に示すように、吸気口カバー１０の前方を下方に開口した略コの字状にし、上面および後面に吸気用の穴２８および２９を設けた点である。これにより、指掛け部を吸気口カバー１０全面に設けることができ、指掛け部を探す手間を省くことができる。
【００３７】
また、指掛け部にも穴２８、２９を設けることで吸気面積も拡大でき、冷却性能を向上させることができる。
【００３８】
更に、穴２９を、本体１の前面からみて、略コの字状の前面に隠れる位置に設けることにより、概観品位も確保することができる。
【産業上の利用可能性】
【００３９】
以上のように、本発明にかかる誘導加熱調理器は、着脱自在の吸気口カバーの着脱性を向上させ、容易に着脱が可能となり使い勝手を向上することができるので、家庭用、業務用にかかわらず着脱可能な吸気口カバーを装着している誘導加熱調理器に有効である。
【符号の説明】
【００４０】
１    本体
２    天板
３    加熱コイル
４    外郭ケース
５    制御基板ユニット
６    グリル部
７    冷却ファン
８    吸気口
９    排気口
１０  吸気口カバー（カバー）
１１  第１被摺動部
１２  第２被摺動部
１３  第１摺動部
１４  第２摺動部
１５、２５、２８、２９  穴
１６  フィルター部
１７  係止部Ａ
１８  係止部Ｂ
１９  嵌合部Ａ
２０  嵌合部Ｂ
２１  指掛け部
２２  指掛け部前面
２３  吸気口カバー前面
２４  傾斜面
２７  設置面
【図１】
2011192576.tif 000003
【図２】
2011192576.tif 000004
【図３】
2011192576.tif 000005
【図４】
2011192576.tif 000006
【図５】
2011192576.tif 000007